(57)【要約】【課題】貯蔵物が接触し得る貯蔵室の内面に創意工夫を施すことにより、貯蔵物の傷みを抑えるようにした冷蔵庫を提供する。【解決手段】本実施形態に係る冷蔵庫は、貯蔵室と、前記貯蔵室の内面に設けられる複数の溝部と、を備え、前記溝部は、相互に長さが異なる傾斜面により形成されている。【選択図】図３
2019027754.tif 000002
【特許請求の範囲】
【請求項１】
貯蔵室と、
前記貯蔵室の内面に設けられる複数の溝部と、を備え、
前記溝部は、相互に長さが異なる傾斜面により形成されている冷蔵庫。
【請求項２】
前記貯蔵室は、前記溝部が設けられていない非溝部を備える請求項１に記載の冷蔵庫。
【請求項３】
前記貯蔵室は、外面に前記溝部とは異なる方向に延びるリブを備え、
前記溝部と、前記リブと、により、前記貯蔵室の内面に格子状の模様が形成されている請求項１または２に記載の冷蔵庫。
【請求項４】
前記貯蔵室は、外面に格子状のリブを備え、
前記溝部と、前記リブのうち前記溝部とは異なる方向に延びるリブと、前記リブのうち前記溝部と同じ方向に延びるリブと、により、前記貯蔵室の内面に格子状の模様が形成されている請求項１または２に記載の冷蔵庫。
【発明の詳細な説明】
【技術分野】
【０００１】
本実施形態は、冷蔵庫に関する。
【背景技術】
【０００２】
例えば特許文献１に開示されているように、冷蔵庫は、冷蔵室、冷凍室、野菜室、製氷室など、用途に応じた複数種類の貯蔵室を備えている。
【先行技術文献】
【特許文献】
【０００３】
【特許文献１】特開２０１５−１８７５４２号公報
【発明の概要】
【発明が解決しようとする課題】
【０００４】
冷蔵庫においては、貯蔵室内に収容した貯蔵物を傷めることなく良好に貯蔵するための技術の追求が求められる。
【０００５】
本実施形態は、貯蔵物が接触し得る貯蔵室の内面に創意工夫を施すことにより、貯蔵物の傷みを抑えるようにした冷蔵庫を提供する。
【課題を解決するための手段】
【０００６】
本実施形態に係る冷蔵庫は、貯蔵室と、前記貯蔵室の内面に設けられる複数の溝部と、を備える。前記溝部は、相互に長さが異なる傾斜面により形成されている。
【図面の簡単な説明】
【０００７】
【図１】本実施形態に係る冷蔵庫の構成例を概略的に示す縦断側面図
【図２】野菜ケースの構成例を概略的に示す斜視図
【図３】野菜ケースの構成例を概略的に示す縦断側面図
【図４】メイン収容部の底壁の前部の構成例を概略的に示す縦断側面図
【図５】メイン収容部の底壁の後部の構成例を概略的に示す縦断側面図
【図６】野菜ケースの下面の構成例を概略的に示す斜視図
【図７】野菜ケースの底壁の上面の一部の構成例を概略的に示す平面図
【図８】変形例に係る野菜ケースの底壁の上面の一部の構成例を概略的に示す平面図
【発明を実施するための形態】
【０００８】
以下、冷蔵庫に係る一実施形態について図面を参照しながら説明する。図１に例示する冷蔵庫１０は、その外郭を構成する断熱箱体１１の内部に、何れも貯蔵室の一例である冷蔵室１２、野菜室１３、冷凍室１４、製氷室１５などの複数種類の貯蔵室を備えている。冷蔵室１２、野菜室１３、冷凍室１４、製氷室１５は、相互に上下に隣接した状態で区分されている。なお、本実施形態では、製氷室１５は、野菜室１３の下方であって、且つ、冷蔵庫１０の正面側から見て左側となる部分に設けられている。そして、この製氷室１５の右横には、図示しない小冷凍室が設けられている。冷蔵庫１０は、図示しない周知の冷凍サイクルを備えており、この冷凍サイクルにより生成される冷気が、図示しないファンによる送風作用により各貯蔵室内に供給されるようになっている。
【０００９】
野菜室１３内には、当該野菜室１３内に冷気を供給する冷気供給口１６が設けられている。冷気供給口１６は、冷気経路の一部を構成するものであり、この場合、野菜室１３の後壁部の上部に設けられている。また、冷気供給口１６には、ダンパ１７が設けられている。ダンパ１７は、回動可能に設けられており、その回動量が調整されることにより、冷気供給口１６の開度が制御されるようになっている。ダンパ１７による冷気供給口１６の開度が大きくなるほど野菜室１３内に供給される冷気の量は多くなり、逆に、ダンパ１７による冷気供給口１６の開度が小さくなるほど野菜室１３内に供給される冷気の量は少なくなる。
【００１０】
また、野菜室１３の内部には、例えば不透明なプラスチック材料により形成される野菜ケース１８が設けられている。野菜ケース１８は、野菜室１３を開閉する引き出し式の野菜室扉１９の裏面に固定されており、これにより、野菜ケース１８は、野菜室扉１９の開閉に伴い野菜室１３から出し入れされるようになっている。
【００１１】
野菜ケース１８の内部には、例えば透明なプラスチック材料により形成される仕切り壁２０が設けられている。仕切り壁２０は、野菜ケース１８の内部を、複数の収容部、この場合、メイン収容部２１およびサブ収容部２２に区画する。メイン収容部２１は、仕切り壁２０の後側に形成される空間であり、野菜ケース１８の後部を含む大部分を占める。サブ収容部２２は、仕切り壁２０の前側つまり野菜室扉１９側に形成される空間であり、野菜ケース１８の一部、この場合、前部を占める。メイン収容部２１の容積は、サブ収容部２２の容積よりも大きくなっている。
【００１２】
野菜ケース１８の上部には、例えば透明なプラスチック材料により形成されるクリスパケース３０が着脱可能に取り付けられている。クリスパケース３０は、仕切り壁２０と同じプラスチック材料により形成してもよいし、異なるプラスチック材料により形成してもよい。この場合、クリスパケース３０は、野菜ケース１８のメイン収容部２１の上部に着脱可能かつ前後に移動可能に載置されている。クリスパケース３０は、野菜ケース１８よりも小さい薄底の収容ケースとして機能するとともに、野菜ケース１８の特にメイン収容部２１の上蓋としても機能する。
【００１３】
また、クリスパケース３０は、その前後方向の寸法が野菜ケース１８の前後方向の寸法よりも小さくなっている。これにより、野菜ケース１８の上部にクリスパケース３０が載置された状態において、野菜ケース１８の後部、この場合、メイン収容部２１の後部の上方には、クリスパケース３０により塞がれない開放部３１が形成される。
【００１４】
そして、野菜ケース１８は、この開放部３１に、透湿シートユニット３２を備えている。透湿シートユニット３２は、開放部３１に着脱可能に取り付けられている。透湿シートユニット３２は、湿度調整機能部の一例であり、長尺な矩形薄板状の本体ケースの内部に透湿シートを備えた構成である。本体ケースは、例えばガラリ構造により構成される通気孔を備えている。透湿シートは、例えば不織布と多孔質フィルムからなる２層構造となっており、空気中の水分つまり湿気を透過可能となっている。透湿シートユニット３２は、野菜ケース１８の外部から内部に湿気を取り込むことにより、また、野菜ケース１８の内部から外部に湿気を排出することにより、野菜ケース１８内、特にメイン収容部２１内の湿度を調整する。
【００１５】
次に、上述した野菜ケース１８の構成例について、さらに詳細に説明する。野菜ケース１８の内面は、野菜室１３内に収容された状態、つまり、野菜室扉１９が野菜室１３を閉じた状態において、当該野菜室１３の内面を構成する。そして、この野菜ケース１８の内面、この場合、少なくとも、メイン収容部２１の底壁の内面には、図２および図３に例示するように、複数の溝部４０が設けられている。溝部４０は、この場合、メイン収容部２１の底壁内面において、冷蔵庫１０の左右方向に沿って直線状に延びている。
【００１６】
図４に例示するように、溝部４０は、相互に長さが異なる２種類の傾斜面、即ち、長傾斜面４１と短傾斜面４２を組み合わせることにより形成されている。長傾斜面４１は、所定の長さ寸法を有する傾斜面であり、溝部４０の後側の面を形成する。長傾斜面４１の長さ寸法は、適宜変更して設定することができる。また、長傾斜面４１の法線方向は、冷蔵庫１０の前部上方に指向している。一方、短傾斜面４２は、長傾斜面４１よりも短い長さ寸法を有する傾斜面であり、溝部４０の前側の面を形成する。短傾斜面４２の長さ寸法は、長傾斜面４１よりも短い範囲において適宜変更して設定することができる。また、短傾斜面４２の法線方向は、冷蔵庫１０の後部上方に指向している。よって、長傾斜面４１の法線と短傾斜面４２の法線とは、溝部４０の上方において交差するようになっている。
【００１７】
また、長傾斜面４１の傾斜角度は、水平面に対して緩やかであり、少なくとも、水平面から４５°の角度範囲以内で設定するとよい。一方、短傾斜面４２の傾斜角度は、水平面に対して急であり、少なくとも、水平面から４５°以上９０°以下の角度範囲以内で設定するとよい。
【００１８】
メイン収容部２１の底壁の上面において、長傾斜面４１および短傾斜面４２は、冷蔵庫１０の前後方向に沿って交互に配列されている。即ち、前後方向に隣り合う２つの長傾斜面４１の間に短傾斜面４２が設けられ、また、前後方向に隣り合う２つの短傾斜面４２の間に長傾斜面４１が設けられている。即ち、前後方向に隣り合う２つの長傾斜面４１は短傾斜面４２により分断されており、前後方向に隣り合う２つの短傾斜面４２は長傾斜面４１により分断されている。
【００１９】
メイン収容部２１の底壁の縦断側面は、複数の長傾斜面４１および短傾斜面４２が交互に連なることにより、山部および谷部が交互に連続する山脈状の断面となっている。そして、溝部４０は、その谷部に対応して設けられている。溝部４０は、長傾斜面４１の下部および短傾斜面４２の下部により形成される断面Ｖ字状の谷部となっている。
【００２０】
また、野菜ケース１８は、平坦部５１，５２を備えている。平坦部５１，５２は、非溝部の一例であり、これら平坦部５１，５２の上面においては、溝部４０、換言すれば、長傾斜面４１および短傾斜面４２が設けられておらず、平坦面が形成されている。本実施形態では、図４に例示する平坦部５１は、メイン収容部２１の底壁の前部に設けられ、図５に例示する平坦部５２は、メイン収容部２１の底壁の後部に設けられている。平坦部５１，５２の前後方向の寸法は、適宜変更して設定することができるが、少なくとも、人の手指が挿入できる程度の寸法を確保するように構成するとよい。
【００２１】
また、図６に例示するように、野菜ケース１８の外面、この場合、メイン収容部２１の底壁の下面には、格子状のリブ６０が設けられている。リブ６０は、溝部４０と同じ方向に延びる複数の横リブ６１と、溝部４０とは異なる方向に延びる複数の縦リブ６２と、を一体的に備えている。リブ６０は、横リブ６１と縦リブ６２とが直交した構成となっており、いわゆる格子状のリブとなっている。リブ６０は、主として、野菜ケース１８の底壁を補強する機能を有する。
【００２２】
野菜ケース１８の底壁の一部には、上方に膨出する膨出部７０が設けられており、この膨出部７０の下面にはリブ６０は設けられていない。膨出部７０は、野菜ケース１８の後部であって、且つ、冷蔵庫１０の正面側から見て左側となる部分に設けられており、野菜室１３下部の製氷室１５内に設けられている図示しない製氷機に対応して、上方に膨出している。
【００２３】
野菜ケース１８においてリブ６０が設けられる部位には、樹脂成形時に材料の歪み、いわゆる「引け」が生じやすい。即ち、リブ６０の上方部分は、他の部分つまりリブ６０が設けられていない部分に比べて、いわゆる「引け」により肉厚が若干薄くなる傾向がある。そのため、下面に格子状のリブ６０が設けられているメイン収容部２１の底壁を上方から見ると、図７に例示するように、複数の長傾斜面４１および短傾斜面４２により形成される横方向に延びる山部の稜線と、複数の長傾斜面４１および短傾斜面４２により形成される横方向に延びる谷部つまり溝部４０と、リブ６０のうち溝部４０とは異なる方向に延びる縦リブ６２と、リブ６０のうち溝部４０と同じ方向に延びる横リブ６１と、からなる格子状の模様を、メイン収容部２１の底壁の内面、この場合、上面において視認可能となる。
【００２４】
本実施形態に係る冷蔵庫１０によれば、野菜ケース１８の内面、この場合、メイン収容部２１の底壁の上面に、相互に長さが異なる２つの傾斜面４１，４２により形成される溝部４０が設けられている。この構成によれば、図４に例示するように、メイン収容部２１に収容される貯蔵物Ｖを、長傾斜面４１上では面接触により、山部の稜線においては線接触により支持することができる。即ち、貯蔵物Ｖを、点接触ではなく、ある程度の幅や面積を有する接触態様により支持することができるため、貯蔵物Ｖに加わる荷重を分散させた状態で保存することができ、貯蔵物Ｖの傷み、特に貯蔵物Ｖの下部の傷みを抑えることができる。
【００２５】
また、貯蔵物Ｖの下方において、貯蔵物Ｖの下面と溝部４０との間に空間を確保することができる。よって、貯蔵物Ｖの下方に冷気が流れる冷気スペースを確保することができ、貯蔵物Ｖの傷み、特に貯蔵物Ｖの下部の傷みを抑えることができる。
【００２６】
また、溝部４０を構成する傾斜面４１，４２において光が反射することにより、キラキラとした感じの外観を形成することができ、デザイン性の向上を図ることができる。
【００２７】
また、野菜ケース１８は、その内面の全てにわたって溝部４０を形成するのではなく、その一部に、溝部４０が設けられない平坦部５１，５２を有している。そのため、これら平坦部５１，５２においては、野菜屑などの異物を取り除き易く、清掃性の向上を図ることができる。特に野菜ケース１８の内部においては、野菜屑などの異物は底壁の隅部に残り易い。本実施形態によれば、平坦部５１，５２を野菜ケース１８の底壁の隅部である前部および後部に設けているから、隅部に残り易い異物を容易に取り除くことができ、清掃性の一層の向上を図ることができる。
【００２８】
また、本実施形態によれば、複数の長傾斜面４１および短傾斜面４２により形成される横方向に延びる山部の稜線と、複数の長傾斜面４１および短傾斜面４２により形成される横方向に延びる谷部つまり溝部４０と、リブ６０のうち溝部４０とは異なる方向に延びる縦リブ６２と、リブ６０のうち溝部４０と同じ方向に延びる横リブ６１と、により、野菜ケース１８の底壁の上面に格子状の模様を形成している。即ち、野菜ケース１８の内面に意図的に形成する溝部４０、山部、谷部だけでなく、野菜ケース１８の内面に意図せず形成されてしまうリブ６０によるいわゆる「引け」も利用して、野菜ケース１８の内面のデザイン性を格子状の模様により向上することができる。
【００２９】
なお、本実施形態は、上述した実施形態に限定されるものではなく、例えば次のように拡張または変形することができる。例えば、溝部４０は、野菜ケース１８の底壁に限らず、前壁、後壁、側壁などに設けてもよい。また、溝部４０は、前側が長傾斜面、後側が短傾斜面であってもよい。また、溝部４０は、野菜ケース１８の左右方向に延びるものに限られず、例えば、野菜ケース１８の前後方向に延びる構成としてもよいし、野菜ケース１８の左右方向あるいは前後方向に対して傾斜する方向に延びる構成としてもよい。また、本実施形態は、野菜室１３以外の貯蔵室、例えば冷蔵室１２、冷凍室１４、製氷室などの貯蔵室にも適用することができる。
【００３０】
また、図８に例示するように、リブ６０は、溝部４０とは異なる方向に延びる縦リブ６２のみからなる構成としてもよい。この場合、野菜ケース１８の内面においては、複数の長傾斜面４１および短傾斜面４２により形成される横方向に延びる山部の稜線と、複数の長傾斜面４１および短傾斜面４２により形成される横方向に延びる谷部つまり溝部４０と、リブ６０のうち溝部４０とは異なる方向に延びる縦リブ６２と、により、格子状の模様が視認可能となる。この構成によっても、野菜ケース１８の内面に意図的に形成する溝部４０、山部、谷部だけでなく、野菜ケース１８の内面に意図せず形成されてしまうリブ６０によるいわゆる「引け」も利用して、野菜ケース１８の内面のデザイン性を格子状の模様により向上することができる。
【００３１】
本実施形態に係る冷蔵庫によれば、貯蔵室の内面に設けられる複数の溝部は、相互に長さが異なる傾斜面により形成されている。この構成によれば、貯蔵物を、点接触ではなく、ある程度の幅や面積を有する接触態様により支持することができ、貯蔵物の傷みを抑えることができる。
【００３２】
以上、本発明の一実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００３３】
図面中、１０は冷蔵庫、１３は野菜室（貯蔵室）、４０は溝部、４１は長傾斜面（傾斜面）、４２は短傾斜面（傾斜面）、５１，５２は平坦部（非溝部）、６０はリブ、６１は横リブ（溝部と同じ方向に延びるリブ）、６２は縦リブ（溝部とは異なる方向に延びるリブ）を示す。
【図１】
2019027754.tif 000003
【図２】
2019027754.tif 000004
【図３】
2019027754.tif 000005
【図４】
2019027754.tif 000006
【図５】
2019027754.tif 000007
【図６】
2019027754.tif 000008
【図７】
2019027754.tif 000009
【図８】
2019027754.tif 000010
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
貯蔵室と、
前記貯蔵室の内面に設けられる複数の溝部と、を備え、
前記溝部は、相互に長さが異なる傾斜面により形成されており、
前記貯蔵室は、外面に前記溝部とは異なる方向に延びるリブを備え、
前記溝部と、前記リブと、により、前記貯蔵室の内面に格子状の模様が形成されている冷蔵庫。
【請求項２】
前記貯蔵室は、前記溝部が設けられていない非溝部を備える請求項１に記載の冷蔵庫。
【請求項３】
前記貯蔵室は、外面に格子状のリブを備え、
前記溝部と、前記リブのうち前記溝部とは異なる方向に延びるリブと、前記リブのうち前記溝部と同じ方向に延びるリブと、により、前記貯蔵室の内面に格子状の模様が形成されている請求項１または２に記載の冷蔵庫。
【手続補正２】
【補正対象書類名】明細書
【補正対象項目名】０００６
【補正方法】変更
【補正の内容】
【０００６】
本実施形態に係る冷蔵庫は、貯蔵室と、前記貯蔵室の内面に設けられる複数の溝部と、を備える。前記溝部は、相互に長さが異なる傾斜面により形成されており、前記貯蔵室は、外面に前記溝部とは異なる方向に延びるリブを備え、前記溝部と、前記リブと、により、前記貯蔵室の内面に格子状の模様が形成されている。